(57)【要約】【課題】ドラムの回転により洗濯物を上へと持ち上げる攪拌動作によって洗濯物を前面部側へ移動させてドラム内に分散させ、洗濯、乾燥を効率よく行う。【解決手段】ドラム４の周壁内面に底面部４ａから開口部２ａに向かって設けられ、かつ、前記ドラム４の回転軸心方向へ突出させた複数のバッフル６と、前記ドラム６の底面部４ａに設けた補助バッフル２１とを備え、前記ドラム４の回転軸を前方高位に傾斜させるとともに、前記補助バッフル２１は、前記バッフル６の側面６ａに連接され、かつ、前記ドラム４の底面部４ａに向かって拡がる傾斜面２１ａを形成したものである。【選択図】図１
2009022688.tif 000002
【特許請求の範囲】
【請求項１】
筐体内に配設された洗濯水を溜める水槽と、前面側に開口部を有し前記水槽内に回転可能に設けられた有底筒状のドラムと、前記ドラムを回転駆動する駆動装置と、前記ドラムの周壁内面に底面部から開口部に向かって設けられ、かつ、前記ドラムの回転軸心方向へ突出させた複数のバッフルと、前記ドラムの底面部に設けた補助バッフルとを備え、前記ドラムの回転軸を前方高位に傾斜させるとともに、前記補助バッフルは、前記バッフルの側面に連接され、かつ、前記ドラムの底面部に向かって拡がる傾斜面を形成したドラム式洗濯乾燥機。
【請求項２】
補助バッフルは、バッフルの側面の両側に設けた請求項１記載のドラム式洗濯乾燥機。
【請求項３】
補助バッフルは、内面部の平面形状を略三角状に形成し、傾斜面とバッフルの側面の角度θ１と、傾斜面とドラムの底面部の角度θ２を略同等に設定した請求項１または２記載のドラム式洗濯乾燥機。
【請求項４】
補助バッフルは、ドラムの周壁内面からの突出高さをバッフルと略同等に設定した請求項１〜３のいずれか１項に記載のドラム式洗濯乾燥機。
【発明の詳細な説明】
【技術分野】
【０００１】
本発明は、衣類の洗濯および乾燥を同一槽内において続けて行えるドラム式洗濯乾燥機に関するものである。
【背景技術】
【０００２】
従来、この種のドラム式洗濯乾燥機は、本体内に配設したドラムの内周面に固定したバッフルを設けている（例えば、特許文献１参照）。図５は、前記公報に記載された従来のドラム式洗濯乾燥機の断面図を示すものである。図５に示すように、外箱３０内に配設された水槽３１は、複数個のサスペンション（図示せず）に支持されており、水槽３１と同軸の回転軸を有するドラム３２を内包している。ドラム３２の内周面には、回転軸に対して回転対称な位置に複数個のバッフル３３が設けてある。
【０００３】
ドラム３２の回転軸はドラム３２の前面側が上向きとなるよう水平方向に対して前上がりに傾斜している。水槽３１の底面部に取り付けた駆動装置３４は図示しない制御装置によって所定の回転方向と回転速度でドラム３２を回転させる。外箱３０、水槽３１、ドラム３２は、いずれもドラム３２への洗濯物の出し入れが可能なようにそれぞれ開口部３５、３６、３７を有しており、外箱３０の開口部３５には、これを開閉する蓋３８を設けている。
【０００４】
ドラム３２内に投入された洗濯物は、図示しない給水手段によりドラム３２内へ水が供給された後にドラム３２の回転（例えば４０〜６０ｒｐｍ）により、バッフル３３によって上方へ持ち上げられて落下する動作が繰り返されて洗濯がなされ、その後、ドラム３２の高速回転（例えば７００〜１０００ｒｐｍ）によって脱水がなされ、また、図示しないヒータやヒートポンプ等を利用した乾燥装置により、攪拌されながら乾燥されることとなる。
【０００５】
なお、バッフル３３は、ドラム３２の底面部側に洗濯物が片寄らないように、ドラム３２の前面部側から底面部側へと向うにつれて高さが高くなるように形成されており、バッフル３３の幅も前面部側へと向うにつれて細く形成されている。また、補助バッフルを設けたものも考えられている（例えば、特許文献２参照）。
【特許文献１】特開２００６−７５４７９号公報
【特許文献２】特開２００２−３１５９８５号公報
【発明の開示】
【発明が解決しようとする課題】
【０００６】
しかしながら、前記従来の構成では、衣類の出し入れを容易にするためにドラム３２の底面部側が低くなるように前上がりに傾斜させた構成では、ドラム３２内に設けたバッフル３３で洗濯物を攪拌したときに洗濯物が低い底面部側に集まることから、バッフル３３の底面部側を高くし、ドラム３３の回転に伴って洗濯物を上へと持ち上げる攪拌動作が確実に行えるようにしているが、洗濯物同士の絡みが発生すると言う課題を有していた。
【０００７】
そこで、バッフル３３の幅を前面部側へと向うにつれて細く形成することで前面部側への移動を促進させることも考えられているが、攪拌される洗濯物をドラム３２内の前面部側へ移動させてドラム３２内に効果的に分散させることができず、したがって、洗浄、乾燥が効率よく行うことができないという問題があった。
【０００８】
本発明は、前記従来の課題を解決するもので、ドラムの回転による洗濯物の攪拌動作によって洗濯物を前面部側へ移動させてドラム内に分散させることができるドラム式洗濯乾燥機を提供することを目的とする。
【課題を解決するための手段】
【０００９】
前記従来の課題を解決するために、本発明のドラム式洗濯乾燥機は、ドラムの周壁内面に底面部から開口部に向かって設けられ、かつ、前記ドラムの回転軸心方向へ突出させた複数のバッフルと、前記ドラムの底面部に設けた補助バッフルとを備え、前記ドラムの回転軸を前方高位に傾斜させるとともに、前記補助バッフルは、前記バッフルの側面に連接され、かつ、前記ドラムの底面部に向かって拡がる傾斜面を形成したものである。
【００１０】
これによって、ドラムの底面部にある洗濯物がドラムの回転により補助バッフルの傾斜面に沿ってドラムの前面部側へ押し出されて攪拌され、ドラム内に分散させることができるので、洗濯、乾燥時に洗濯物がドラムの底面部側に集まることがなく、洗濯物同士の絡みが少なく、洗濯、乾燥を効率よく行うことができる。
【発明の効果】
【００１１】
本発明のドラム式洗濯乾燥機は、洗濯、乾燥時に洗濯物同士の絡みが少なく、洗濯、乾燥を効率よく行うことができる。
【発明を実施するための最良の形態】
【００１２】
第１の発明は、筐体内に配設された洗濯水を溜める水槽と、前面側に開口部を有し前記水槽内に回転可能に設けられた有底筒状のドラムと、前記ドラムを回転駆動する駆動装置と、前記ドラムの周壁内面に底面部から開口部に向かって設けられ、かつ、前記ドラムの回転軸心方向へ突出させた複数のバッフルと、前記ドラムの底面部に設けた補助バッフルとを備え、前記ドラムの回転軸を前方高位に傾斜させるとともに、前記補助バッフルは、前記バッフルの側面に連接され、かつ、前記ドラムの底面部に向かって拡がる傾斜面を形成したことにより、ドラムの回転で洗濯物はバッフルによって下から上へと持ち上げるとともに、補助バッフルによって洗濯物をドラムの底面部側から前面部側へと移動させることができるので、洗濯物がドラムの底面部側に片寄ることがなく、洗濯物の絡みを少なくして攪拌効果を高め、洗濯、乾燥を効率よく行うことができる。
【００１３】
第２の発明は、特に、第１の発明の補助バッフルは、バッフルの側面の両側に設けたことにより、ドラムの正転と反転動作時に洗濯物がドラムの底面部側に片寄ることがなく、バランスよく攪拌することができ、洗濯、乾燥を効率よく行うことができる。
【００１４】
第３の発明は、特に、第１または第２の発明の補助バッフルは、内面部の平面形状を略三角状に形成し、傾斜面とバッフルの側面の角度θ１と、傾斜面とドラムの底面部の角度θ２を略同等に設定したことにより、洗濯物をドラムの前面部側へ移動させる効果が大きく、洗濯、乾燥を効率よく行うことができる。
【００１５】
第４の発明は、特に、第１〜第３のいずれか１つの発明の補助バッフルは、ドラムの周壁内面からの突出高さをバッフルと略同等に設定したことにより、ドラムの底面部で高くなった表面に位置する洗濯物ものをドラムの前面部側へ移動させることができるようになり、分散効果を高めることができ、洗濯、乾燥を効率よく行うことができる。
【００１６】
以下、本発明の実施の形態について、図面を参照しながら説明する。なお、本実施の形態によって本発明が限定されるものではない。
【００１７】
（実施の形態１）
図１は、本発明の第１の実施の形態におけるドラム式洗濯乾燥機の断面図である。図１において、１はドラム式洗濯乾燥機の筐体であり、その内部に複数個のサスペンション（図示せず）で支持された水槽２を配設する。水槽２は回転軸周りに軸対称な略筒状をしており、かつ、水槽２の回転軸が水平方向に対してその底面部４ａ側が下側となるよう前上がりに傾斜して配設されている。周壁部に多数の孔３を有したドラム４が水槽２に内包されており、水槽２の底面部に設けたモータ等の駆動装置５によって回転駆動するもので正逆回転させるようになっている。
【００１８】
そして、この正逆回転時にドラム４内の周壁に設けたバッフル６により、衣類Ａを持ち上げて落下させることで効率的に攪拌している。バッフル６は、ドラム４内の底面部４ａから前面側の開口部２ａに向かって延びており、底面部４ａ側の幅が広くなっている。そして、ドラム４内の周壁に設けたバッフル６は、ドラム４の回転軸心方向へ向かって内方へ突出するように複数設けている。
【００１９】
ドラム４の前面に設けた投入口７側には、流体バランサー８を設け、ドラム４の回転時に衣類の偏りを修正して振動を少なくするものである。筐体１の前面には衣類を出し入れする略円形状の投入口７と、これを開閉する蓋９が設けられている。投入口７と対向する水槽２の開口部２ａはパッキン１０によって筐体１と気密を確保して連結している。
【００２０】
ドラム４は、その回転軸４ａを前面側を高位に傾斜させるとともに、底面部４ａ側から前面側へ向って拡がるように内周面を傾斜させており、底面部４ａの内径をＤ１、前面部の内径をＤ２とすると、Ｄ１＜Ｄ２となるテーパー構造となっている。
【００２１】
乾燥用空気をドラム４に供給する送風手段１１を筐体１の上部に設け、加熱手段１２を送風手段１１の下流側に設けている。送風手段１１、加熱手段１２は循環ダクト１３内に設けている。循環ダクト１３の下流側は、外槽２の底部側に設けられた供給口１４と連通し、上流側は、外槽２の周壁に設けられた排気口１５と連通している。外槽２の側周面に除湿ダクト１６と循環ダクト１３とが一体に形成されている。
【００２２】
循環ダクト１３内に設けられた送風手段１１を回転駆動すると、外槽２内の空気が排気口１５から除湿ダクト１６内に排出されるので、ドラム４内の湿気を含む空気は周面に多数形成された孔３から外槽２内に出て除湿ダクト１６に排出される。除湿ダクト１６内には、注水弁（図示せず）を開くことにより注水ノズル１７から注水され、湿った空気は水により冷却され、空気中に含まれた水蒸気が凝結することにより除湿される。空気を冷却した水及び凝結によって生じた水は、外槽２内を流下して排水口１８から外部に排出される。なお、２０は駆動装置５の駆動を制御し、洗い、すすぎ、脱水、乾燥の各工程を実行する制御手段である。
【００２３】
２１はドラム４の底面部４ａに設けた補助バッフルで、バッフル６の側面６ａに連接され、かつ、ドラム４の底面部４ａに向かって拡がる傾斜面２１ａを形成しバッフル６の側面６ａの両側に設けてあり、ドラム４の正転逆転のいずれの場合でも洗濯物がドラム４の前面部側へ移動させることができるようにしている。
【００２４】
以上のように構成されたドラム式洗濯乾燥機について、以下その動作、作用を説明する。先ず、洗濯運転について説明する。洗濯運転中は、ドラム４の回転に伴って洗濯物を下から上へと持ち上げては落下させる、いわゆるタンブリング運転を行うが（ドラム４の回転数は例えば４０〜６０ｒｐｍ）、ドラム４がＤ１＜Ｄ２のテーパー構造であり、テーパー部４ｂのドラム４の内周面の最下部の傾き角度が水平方向に近づくため、タンブリング運転を繰り返しても洗濯物がドラム４の底面部４ａ側に片寄る傾向は小さく、衣類同士の絡みが発生し難い。
【００２５】
次に、脱水運転について説明する。脱水運転時は駆動装置５によってドラム４を高速で回転させるために（例えば７００〜１０００ｒｐｍ）、洗濯物には遠心力が働くが、その遠心力は、図２で示したように、ドラム４がＤ１＜Ｄ２のテーパー構造であるために、ドラム４の内周面へ張り付く力と、ドラム４の内周面の接線方向に洗濯物を移動させる力とに分解でき、後者の力によって脱水運転中に洗濯物がドラム４の内周面の１ヶ所に留まって張り付くことはなく、脱水運転中は洗濯物は徐々に移動しながら脱水されることとなり、その結果、脱水運転終了後に洗濯物がドラム４の内周面に堅く張り付くことを抑制することができる。
【００２６】
また、乾燥運転は、送風手段１１から送風される除湿した空気は、循環ダクト１３内の加熱手段１２により加熱されることにより、所定温度の温風になって供給口１４から外槽２内に送風され、ドラム４の底面部４ａに形成した通気口１９からドラム４内に送給される。ドラム４の底面部４ａ側から送風された温風は衣類に触れ、その湿気を奪うので衣類の乾燥が促進される。湿気を含んだ空気は再び排気口１５から除湿ダクト１６内に排気される。
【００２７】
洗濯運転および乾燥運転において、ドラム４が矢印イ方向へ回転すると、洗濯物は補助バッフル２１に押し付けられて傾斜面２１ａを矢印ロ方向へ移動させ、また、ドラム４が矢印イ方向と反対方向に反転すると、上記と同様に洗濯物はバッフル６の反対側の側面６ａに押し付けられて傾斜面２１ａを矢印ロ方向へ移動させて、ドラム４の底面部４ａ側から前面部側へと移動させることができるので、洗濯物がドラム４の底面部４ａ側に片寄ることがなく、洗濯物の絡みを少なくして攪拌効果を高め、洗濯、乾燥を効率よく行うことができる。
【００２８】
（実施の形態２）
図３は、本発明の第２の実施の形態におけるバッフルの斜視図である。バッフル６の側面６ａに連接した補助バッフル２１は、内面部２１ａの平面形状を略三角状に形成し、傾斜面２１ａとバッフル６の側面６ａの角度θ１と、補助バッフル２１の傾斜面２１ａとドラム４の底面部４ａの角度θ２を略同等に設定したものである。他の構成は実施の形態１と同じであり説明を省略する。
【００２９】
上記構成によれば、洗濯物が傾斜面２１ａを移動する際に少ない抵抗で所定の移動量を確保することができ、ドラム４の前面部側へ移動させる効果が大きくなり、洗濯、乾燥を効率よく行うことができる。
【００３０】
（実施の形態３）
図４は、本発明の第３の実施の形態におけるバッフルの斜視図である。バッフル６の側面６ａに連接した補助バッフル２１は、ドラム４の周壁内面からの突出高さＨ２をバッフル６の突出高さＨ１と略同等の高さに設定したものである。他の構成は実施の形態１と同じであり説明を省略する。
【００３１】
上記構成によれば、洗濯物がドラム４の底面部４ａ側に集まって高くなった表面に位置する洗濯物も、ドラム４の前面部側へ移動させることができるようになり、ドラム４内に分散させる効果を高めることができ、ドラム４の底面部４ａ側への洗濯物の片寄りをより一層効果的に抑制することができ、洗濯、乾燥を効率よく行うことができる。
【産業上の利用可能性】
【００３２】
以上のように、本発明にかかるドラム式洗濯乾燥機は、洗濯工程時や乾燥工程時に洗濯物がドラムの底面部側へ片寄るのを抑制し、ドラム内での洗濯物の絡みを少なくすることができるので、前上がりに傾斜させたドラム式洗濯乾燥機として有用である。
【図面の簡単な説明】
【００３３】
【図１】本発明の第１の実施の形態のドラム式洗濯乾燥機の断面図
【図２】同ドラム式洗濯乾燥機のバッフルの斜視図
【図３】本発明の第２の実施の形態のドラム式洗濯乾燥機のバッフルの斜視図
【図４】本発明の第３の実施の形態のドラム式洗濯乾燥機のバッフルの斜視図
【図５】従来のドラム式洗濯乾燥機の断面図
【符号の説明】
【００３４】
１  筐体
２  水槽
２ａ  開口部
４  ドラム
５  駆動装置
４ａ  底面部
６  バッフル
２１  補助バッフル
２１ａ  傾斜面
【図１】
2009022688.tif 000003
【図２】
2009022688.tif 000004
【図３】
2009022688.tif 000005
【図４】
2009022688.tif 000006
【図５】
2009022688.tif 000007